(57)【特許請求の範囲】
【請求項１】
前身頃および当該前身頃に設けられた伸縮性の後身頃を有する身頃と、前記身頃の左右両側にそれぞれ設けられた左袖および右袖とを備える衣料の上半身部であって、
前記前身頃の左側に左抉り部が設けられるとともに、前記左袖の正面側に、前記前身頃の左抉り部に縫合可能な左縫合端部が設けられ、
前記左抉り部が、前記前身頃の左肩部のうち、最も左側の部分よりも右側に位置する最深部を有し、
前記左縫合端部が、前記左抉り部に縫合される前には前記左抉り部の最深部に到達しない寸法に形成された状態で、前記左抉り部に縫合され、
前記前身頃の右側に右抉り部が設けられるとともに、前記右袖の正面側に、前記前身頃の右抉り部に縫合可能な右縫合端部が設けられ、
前記右抉り部が、前記前身頃の右肩部のうち、最も右側の部分よりも左側に位置する最深部を有し、
前記右縫合端部が、前記右抉り部に縫合される前には前記右抉り部の最深部に到達しない寸法に形成された状態で、前記右抉り部に縫合され、
前記後身頃は、着用者の左右の肩甲骨を引き寄せる伸長力を有している、
衣料の上半身部。
【請求項２】
前記左袖の正面と前記前身頃との縫合部分のうち、最も下方に位置する第１の縫合箇所が、前記左袖の背面と前記身頃との境目のうち、最も下方に位置する第１の最下部分よりも上方に配され、
前記右袖の正面と前記前身頃との縫合部分のうち、最も下方に位置する第２の縫合箇所が、前記右袖の背面と前記身頃との境目のうち、最も下方に位置する第２の最下部分よりも上方に配されている、請求項１に記載の衣料の上半身部。
【請求項３】
前記第１の縫合箇所と前記第１の最下部分との上下方向の最短距離は、２ｃｍ以上であり、
前記第２の縫合箇所と前記第２の最下部分との上下方向の最短距離は、２ｃｍ以上である、請求項２に記載の衣料の上半身部。
【請求項４】
前記左袖は、前記左縫合端部を含みかつ前記身頃の左側に繋がる左連繋部を有し、
前記左袖のうち、少なくとも前記左連繋部の背面は、当該左袖の長さ方向において２０％伸長時に４５ｃＮ以上となる伸長力を有し、
前記右袖は、前記右縫合端部を含みかつ前記身頃の右側に繋がる右連繋部を有し、
前記右袖のうち、少なくとも前記右連繋部の背面は、当該右袖の長さ方向において２０％伸長時に４５ｃＮ以上となる伸長力を有している、
請求項１から請求項３までのいずれか１項に記載の衣料の上半身部。
【請求項５】
前記左袖は、当該左袖のうち、少なくとも前記左連繋部の背面および正面に亘って、当該左袖の長さ方向において２０％伸長時に４５ｃＮ以上となる伸長力を有し、
前記右袖は、当該右袖のうち、少なくとも前記右連繋部の背面および正面に亘って、当該右袖の長さ方向において２０％伸長時に４５ｃＮ以上となる伸長力を有している、
請求項４に記載の衣料の上半身部。
【請求項６】
前記左袖のうち、前記左連繋部の正面は、当該左袖の長さ方向に４５ｃＮ以上の伸長力をかけても２０％の伸長にならない２０％未満の伸びない構成とされ、
前記右袖のうち、前記右連繋部の正面は、当該右袖の長さ方向に４５ｃＮ以上の伸長力をかけても２０％の伸長にならない２０％未満の伸びない構成とされている、
請求項４に記載の衣料の上半身部。
【請求項７】
前記左袖は、前記左縫合端部を含みかつ前記身頃の左側に繋がる左連繋部を有し、
前記左袖のうち、少なくとも前記左連繋部の背面は、当該左袖の長さ方向に４５ｃＮ以上の伸長力をかけても２０％の伸長にならない２０％未満の伸びない構成とされ、
前記右袖は、前記右縫合端部を含みかつ前記身頃の右側に繋がる右連繋部を有し、
前記右袖のうち、少なくとも前記右連繋部の背面は、当該右袖の長さ方向に４５ｃＮ以上の伸長力をかけても２０％の伸長にならない２０％未満の伸びない構成とされている、
請求項１から請求項３までのいずれか１項に記載の衣料の上半身部。
【請求項８】
前記左袖は、当該左袖のうち、少なくとも前記左連繋部の背面および正面に亘って、当該左袖の長さ方向に４５ｃＮ以上の伸長力をかけても２０％の伸長にならない２０％未満の伸びない構成とされ、
前記右袖は、当該右袖のうち、少なくとも前記右連繋部の背面および正面に亘って、当該右袖の長さ方向に４５ｃＮ以上の伸長力をかけても２０％の伸長にならない２０％未満の伸びない構成とされている、
請求項７に記載の衣料の上半身部。
【請求項９】
前記左袖の左連繋部の正面は、当該左袖の長さ方向において２０％伸長時に４５ｃＮ以上となる伸長力を有し、
前記右袖の右連繋部の正面は、当該右袖の長さ方向において２０％伸長時に４５ｃＮ以上となる伸長力を有している、
請求項７に記載の衣料の上半身部。
【請求項１０】
前記左右の袖が、半袖、七分袖または長袖である、請求項１から請求項９までのいずれか１項に記載の衣料の上半身部。
【発明の詳細な説明】
【技術分野】
【０００１】
本発明は、衣料の上半身部に関する。
【背景技術】
【０００２】
着用者の上半身の少なくとも一部を覆うことができる衣類の上半身部が知られている（例えば、特許文献１参照）。
【先行技術文献】
【特許文献】
【０００３】
【特許文献１】特開２０１４−１９６５８７号公報
【発明の概要】
【発明が解決しようとする課題】
【０００４】
従来のような衣類の上半身部のうち、着用者の身体にフィットするように伸縮性を有するものが着用された場合、この衣類の上半身部の身頃と袖との境界部分の下側が引っ張られて時間の経過ととともにしわを発生させる。そして、その境界部分の下側に生じたしわの部分が、着用者の脇の下に食い込みやすくなっている。そのため、衣類の上半身部が着用者に不快感を与えることが多いという問題がある。【０００５】
本発明は、このような事情に鑑みてなされたものであり、着用者の脇の下への食い込み量を低減させることができる衣料の上半身部の提供を目的とする。
【課題を解決するための手段】
【０００６】
本発明は、
前身頃および当該前身頃に設けられた伸縮性の後身頃を有する身頃と、前記身頃の左右両側にそれぞれ設けられた左袖および右袖とを備える衣料の上半身部であって、
前記前身頃の左側に左抉り部が設けられるとともに、前記左袖の正面側に、前記前身頃の左抉り部に縫合可能な左縫合端部が設けられ、
前記左抉り部が、前記前身頃の左肩部のうち、最も左側の部分よりも右側に位置する最深部を有し、
前記左縫合端部が、前記左抉り部に縫合される前には前記左抉り部の最深部に到達しない寸法に形成された状態で、前記左抉り部に縫合され、
前記前身頃の右側に右抉り部が設けられるとともに、前記右袖の正面側に、前記前身頃の右抉り部に縫合可能な右縫合端部が設けられ、
前記右抉り部が、前記前身頃の右肩部のうち、最も右側の部分よりも左側に位置する最深部を有し、
前記右縫合端部が、前記右抉り部に縫合される前には前記右抉り部の最深部に到達しない寸法に形成された状態で、前記左抉り部に縫合されている、衣料の上半身部である。【０００７】
この構成によれば、前記衣料の上半身部の着用時に、前記身頃と前記左袖および前記右袖の各々との境界部分の下側、特に前下側に時間の経過ととともにしわが発生して、そのしわ部分が着用者の脇の下に食い込む食い込み量を低減させることができる。したがって、この際に、前記衣料の上半身部が前述の食い込みに起因する不快感を着用者に与えることを抑制することができる。【０００８】
本発明の別の態様である第２の態様によれば、
前記左袖の正面と前記前身頃との縫合部分のうち、最も下方に位置する第１の縫合箇所が、前記左袖の背面と前記身頃との境目のうち、最も下方に位置する第１の最下部分よりも上方に配され、
前記右袖の正面と前記前身頃との縫合部分のうち、最も下方に位置する第２の縫合箇所が、前記右袖の背面と前記身頃との境目のうち、最も下方に位置する第２の最下部分よりも上方に配されている。【０００９】
この構成によれば、前記衣料の上半身部の着用時に、前記身頃と前記左袖および前記右袖の各々との境界部分の下側、特に後下側に時間の経過ととともにしわが発生して、そのしわ部分が着用者の脇の下に食い込む食い込み量を低減させることができる。したがって、この際に、前記衣料の上半身部が前述の食い込みに起因する不快感を着用者に与えることを更に抑制することができる。【００１０】
本発明の第３の態様によれば、
前記第２の態様において、
前記第１の縫合箇所と前記第１の最下部分との上下方向の最短距離は、２ｃｍ以上であり、
前記第２の縫合箇所と前記第２の最下部分との上下方向の最短距離は、２ｃｍ以上である。【００１１】
本発明の第４の態様によれば、
前記後身頃は、着用者の左右の肩甲骨を引き寄せる伸張力を有している。【００１２】
本発明の第５の態様によれば、
前記第４の態様において、
前記左袖は、前記左縫合端部を含みかつ前記身頃の左側に繋がる左連繋部を有し、
前記左袖のうち、少なくとも前記左連繋部の背面は、当該左袖の長さ方向において２０％伸長時に４５ｃＮ以上となる伸長力を有し、
前記右袖は、前記右縫合端部を含みかつ前記身頃の右側に繋がる右連繋部を有し、
前記右袖のうち、少なくとも前記右連繋部の背面は、当該右袖の長さ方向において２０％伸長時に４５ｃＮ以上となる伸長力を有している。【００１３】
本発明の第６の態様によれば、
前記第５の態様において、
前記左袖は、当該左袖のうち、少なくとも前記左連繋部の背面および正面に亘って、当該左袖の長さ方向において２０％伸長時に４５ｃＮ以上となる伸長力を有し、
前記右袖は、当該右袖のうち、少なくとも前記右連繋部の背面および正面に亘って、当該右袖の長さ方向において２０％伸長時に４５ｃＮ以上となる伸長力を有している【００１４】
本発明の第７の態様によれば、
前記第５の態様において、
前記左袖のうち、前記左連繋部の正面は、当該左袖の長さ方向に４５ｃＮ以上の伸張力をかけても２０％の伸張にならない２０％未満の伸びない構成とされ、
前記右袖のうち、前記右連繋部の正面は、当該右袖の長さ方向に４５ｃＮ以上の伸張力をかけても２０％の伸張にならない２０％未満の伸びない構成とされている【００１５】
本発明の第８の態様によれば、
前記第４の態様において、
前記左袖は、前記左縫合端部を含みかつ前記身頃の左側に繋がる左連繋部を有し、
前記左袖のうち、少なくとも前記左連繋部の背面は、当該左袖の長さ方向に４５ｃＮ以上の伸張力をかけても２０％の伸張にならない２０％未満の伸びない構成とされ、
前記右袖は、前記右縫合端部を含みかつ前記身頃の右側に繋がる右連繋部を有し、
前記右袖のうち、少なくとも前記右連繋部の背面は、当該右袖の長さ方向に４５ｃＮ以上の伸張力をかけても２０％の伸張にならない２０％未満の伸びない構成とされている。【００１６】
本発明の第９の態様によれば、
前記第８の態様において、
前記左袖は、当該左袖のうち、少なくとも前記左連繋部の背面および正面に亘って、当該左袖の長さ方向に４５ｃＮ以上の伸張力をかけても２０％の伸張にならない２０％未満の伸びない構成とされ、
前記右袖は、当該右袖のうち、少なくとも前記右連繋部の背面および正面に亘って、当該右袖の長さ方向に４５ｃＮ以上の伸張力をかけても２０％の伸張にならない２０％未満の伸びない構成とされている。【００１７】
本発明の第１０の態様によれば、
前記第８の態様において、
前記左袖の左連繋部の正面は、当該左袖の長さ方向において２０％伸長時に４５ｃＮ以上となる伸長力を有し、
前記右袖の右連繋部の正面は、当該右袖の長さ方向において２０％伸長時に４５ｃＮ以上となる伸長力を有している。【００１８】
本発明の第１１態様によれば、
前記左右の袖が、半袖、七分袖または長袖である。
【発明の効果】
【００１９】
本発明によれば、着用者の脇の下への食い込み量を低減させることができる衣料の上半身部を提供できる。
【図面の簡単な説明】
【００２０】
【図１】本発明の一実施形態に係る衣料の上半身部の正面図である。
【図２】図１の衣料の上半身部の背面図である。
【図３】図１の衣料の上半身部における身頃の左側と左袖との縫合が解かれた状態の概略図である。
【図４】図３の場合における身頃の前身頃の左側と左袖の左袖正面との関係を表す概略図である。
【発明を実施するための形態】
【００２１】
本発明の一実施形態について図面を参照しつつ説明する。
【００２２】
図１に、本発明の一実施形態に係る衣料の上半身部１の正面図を示す。図２に、衣料の上半身部１の背面図を示す。
【００２３】
図１、図２に示されるように、衣料の上半身部１は、着用者の上半身に着用され得るように構成されている。衣料の上半身部１としては、肌着として着用され得るもの（インナウェア）、または、肌着の上に着用される中衣もしくは上着として着用され得るもの（アウターウェア）がある。
【００２４】
衣料の上半身部１は、身頃２と、左袖３と、右袖４とを備えている。この衣料の上半身部１において、身頃２は、前身頃１１と、この前身頃１１に設けられた伸縮性の後身頃１２とを有している。左袖３および右袖４は、身頃２の左右両側にそれぞれ設けられている。
【００２５】
詳しくは、身頃２は、衣料の上半身部１の上下方向を軸方向とする筒状体である。身頃２は、着用者が衣料の上半身部１を着用する際に着用者の上半身に応じて少なくとも後身頃１２の一部（後述の後側領域８）を伸ばしつつ、着用者の上半身を覆うことができるように構成されている。
【００２６】
身頃２において、前身頃１１は、着用者の上半身の正面に対応する部分であり、着用者の上半身の概ね正面を覆うことができるように形成されている。後身頃１２は、着用者の上半身の背面に対応する部分であり、着用者の上半身の概ね背面を覆うことができるように形成されている。
【００２７】
後身頃１２は、後側領域８（図２における点ハッチングの領域）を有している。後側領域８は、後身頃１２と左袖３との連繋箇所と、後身頃１２と右袖４との連繋箇所との間に配されている。後側領域８は、これらの連繋箇所間に延在しており、左右方向に伸縮可能に構成されている。
【００２８】
後側領域８は、後身頃１２において、衣料の上半身部１の着用時に着用者の左右方向に引張力を発揮し得る、伸縮性を有する領域である。そして、後側領域８の左側に左袖３が連繋するように縫合され、後身頃１２の後側領域８の右側に右袖４が連繋するように縫合されている。
【００２９】
本実施形態においては、この後側領域８を備えることにより、後身頃１２が、衣料の上半身部１の着用者の左右の肩甲骨を引き寄せる伸張力を有するようになっている。なお、後側領域８は、左袖３および右袖４の各々との連繋箇所の最下端どうしを左右方向に最短距離で結ぶ直線よりも上方に存在する身頃２の一部分である。
【００３０】
こうして、後身頃１２は、後側領域８を用いて、左袖３との連繋箇所を右方へ引っ張りかつ右袖４との連繋箇所を左方へ引っ張る引張力を衣料の上半身部１の着用者に対して発揮できるようになっている。ここで、後身頃１２のうち少なくとも後側領域８は、左右方向において２０％伸長時に６０ｃＮ以上となる伸長力を有している。
【００３１】
なお、後身頃１２のうち少なくとも後側領域８の左右方向の伸長力は、後側領域８の左右方向の２０％伸長時に８０ｃＮ以上６００ｃＮ以下となるものが好ましく、後側領域８の左右方向の２０％伸長時に１００ｃＮ以上４００ｃＮ以下となるものがより好ましい。
【００３２】
また、身頃２は、襟ぐり１６と、裾１７と、左袖ぐり１８と、右袖ぐり１９とを備えている。この身頃２において、襟ぐり１６は、身頃２の上端部に配されるとともに、身頃２の左右方向の中央付近に配されている。裾１７は、襟ぐり１６の下方に配されている。
【００３３】
左袖ぐり１８は、襟ぐり１６の左方に位置するように、身頃２の左上部に配されている。右袖ぐり１９は、襟ぐり１６の右方に位置するように、身頃２の右上部に配されている。左袖ぐり１８は後側領域８の左側に配され、右袖ぐり１９は後側領域８の右側に配されている。
【００３４】
左袖ぐり１８は、左袖３と連繋する左の連繋端部を構成するものであり、左の連繋端部正面２３と左の連繋端部背面２４とを有している。なお、以下の説明においては、左の連繋端部正面２３を単に左端部正面２３といい、左の連繋端部背面２４を単に左端部背面２４という。
【００３５】
左端部正面２３は、左袖ぐり１８正面に備えられている。左端部正面２３は、前身頃１１の上部左側に設けられている。左端部背面２４は、左袖ぐり１８背面に備えられている。左端部背面２４は、後身頃１２の上部左側（後側領域８の左側）に設けられている。
【００３６】
右袖ぐり１９は、右袖４と連繋する右の連繋端部を構成するものであり、右の連繋端部正面２６と右の連繋端部背面２７とを有している。なお、以下の説明においては、右の連繋端部正面２６を単に右端部正面２６といい、右の連繋端部背面２７を単に右端部背面２７という。
【００３７】
右端部正面２６は、右袖ぐり１９正面に備えられている。右端部正面２６は、前身頃１１の上部右側に設けられている。右端部背面２７は、右袖ぐり１９背面に備えられている。右端部背面２７は、後身頃１２の上部右側（後側領域８の右側）に設けられている。
【００３８】
本実施形態においては、後側領域８が、左端部背面２４から右端部背面２７に亘って延在するように、後身頃１２に設けられている。
【００３９】
また、左袖３は、身頃２に連通しつつ当該左袖３の長さ方向（軸方向、図１における概ね矢印２１方向）に延在し得る筒状体である。本実施形態において、左袖３は半袖である。なお、本発明における左袖は、これに限定するものではなく、例えば、長袖であってもよいし、七分袖であってもよい。
【００４０】
左袖３は、左袖正面３１と、左袖背面３２とを有している。本実施形態において、左袖３は、左袖正面３１および左袖背面３２の一部（上部）を形成する第１の部材１５１と、左袖背面３２の残部（下部）を形成する第２の部材１５２とから構成されている（図２、図３参照）。
【００４１】
なお、左袖３は、本実施形態においては別体の部材である第１の部材１５１と第２の部材１５２とから構成されたものとしているが、一つの部材から構成されたものとしてもよい。
【００４２】
左袖正面３１と左袖背面３２とは、前後に並べられ、左袖３が筒状を呈するように連続的に設けられている。左袖正面３１と左袖背面３２とは、左袖３の長さ方向一端部（身頃２側にある上端部）４３側で身頃２の左袖ぐり１８に接続される一方、左袖３の長さ方向他端部（下端部）側に袖口３５を形成している。
【００４３】
左袖３は、また、身頃２の左袖ぐり１８に繋がる左連繋部４２を備えている。この左連繋部４２は、左袖３の長さ方向一端部４３を含むように設けられている。
【００４４】
そして、左連繋部４２の正面４５が、左袖正面３１のうち、左袖３の長さ方向一端部４３付近の正面に含まれている。左連繋部４２の正面４５は、身頃２の左端部正面２３と隣り合うように配されている。
【００４５】
また、右袖４は、身頃２に連通しつつ当該右袖４の長さ方向（軸方向、図１における概ね矢印２２方向）に延在し得る筒状体である。本実施形態において、右袖４は半袖である。なお、本発明における右袖は、これに限定するものではなく、例えば、長袖であってもよいし、七分袖であってもよい。
【００４６】
右袖４は、右袖正面５１と、右袖背面５２とを有している。本実施形態において、右袖４は、右袖正面５１および右袖背面５２の一部（上部）を形成する第３の部材１５３と、右袖背面５２の残部（下部）を形成する第４の部材１５４とから構成されている。
【００４７】
なお、右袖４は、本実施形態においては別体の部材である第３の部材１５３と第４の部材１５４とから構成されたものとしているが、一つの部材から構成されたものとしてもよい。
【００４８】
右袖正面５１と右袖背面５２とは、前後に並べられ、右袖４が筒状を呈するように連続的に設けられている。右袖正面５１と右袖背面５２とは、右袖４の長さ方向一端部（身頃２側にある上端部）６３側で身頃２の右袖ぐり１９に接続される一方、右袖４の長さ方向他端部（下端部）側に袖口５５を形成している。
【００４９】
右袖４は、また、身頃２の右袖ぐり１９に繋がる右連繋部６２を備えている。この右連繋部６２は、右袖４の長さ方向一端部６３を含むように設けられている。
【００５０】
そして、右連繋部６２の正面６５が、右袖正面５１のうち、右袖４の長さ方向一端部６３付近の正面に含まれている。右連繋部６２の正面６５は、身頃２の右端部正面２６と隣り合うように配されている。
【００５１】
図３に、身頃１２の左側と左袖３との縫合が解かれた状態の概略図を示す。図４に、図３の場合における身頃１２の前身頃１１の左側と左袖３の左袖正面３１との関係を表す概略図を示す。
【００５２】
図３、図４に示されるように、前身頃１１の左側に、左抉り部７１が設けられている。左袖３の正面側（左袖正面３１）に、前身頃１１の左抉り部７１に縫合可能な左縫合端部７２が設けられている。
【００５３】
左抉り部７１が、前身頃１１の左肩部７３（身頃２の左肩部７５）のうち、最も左側の部分よりも右側に位置する最深部７７を有している。そして、左縫合端部７２が、左抉り部７１に縫合されている。ここで、左縫合端部７２は、左抉り部７１に縫合される前には左抉り部７１の最深部７７に到達しない寸法に形成されている。
【００５４】
なお、衣料の上半身部１においては、左袖３に関する構造と右袖４に関する構造とは、図１の身頃２の左右方向中心縦線６９に対して略対称な構造であるので、以下では左袖３に関する構造についての説明を行い、右袖４に関する構造についての説明は省略する。
【００５５】
詳しくは、左抉り部７１は、身頃２の左端部正面２３として機能するものである。左抉り部７１は、前身頃１１において、その左縁部の上側が抉られることによって構成されている。左抉り部７１は、概ね前身頃１１の上下方向に延在した状態で形成されている。
【００５６】
左抉り部７１は、前身頃１１の左右方向中心縦線６９側（右側）へ凹む湾曲形状（凹形状）を有している。左抉り部７１は、そのなかで左右方向中心縦線６９側へ最も凹んだ部分に、最深部７７を備えている。この最深部７７は、凹形状の縫合ラインを形作る、左抉り部７１の縁部上に配されている。
【００５７】
左抉り部７１は、また、延在方向一端部（上側の端部）８１と、延在方向他端部（下側の端部）８２とを備えている。この左抉り部７１において、延在方向一端部８１は、前身頃１１の左肩部７３のうち、最も左側の部分に配されている。左抉り部７１の延在方向他端部（下側の端部）８２は、延在方向一端部８１よりも下方でかつ左方に設けられている。
【００５８】
そして、最深部７７が、上下方向において、延在方向一端部８１と延在方向他端部８２との間に設けられている。最深部７７は、延在方向一端部８１（前身頃１１の左肩部７３のうち、最も左側の部分）から下方へ向かって略垂直に延びる第１仮想線８５よりも所定の最短距離ｄ１（例えば約１又は２ｃｍ）だけ右方に配されている。
【００５９】
また、左縫合端部７２は、左袖３の長さ方向一端部４３において、左袖３の左袖正面３１のうち左連繋部４２の正面４５に設けられている。左袖３の左連繋部４２の正面４５には、また、左基部８７が設けられている。左基部８７は、左縫合端部７２に対して左袖３の長手方向他端部側に配されている。
【００６０】
左縫合端部７２は、左基部８７から左抉り部７１に向かって膨出する膨出形状を有している。左縫合端部７２は、そのなかで左右方向中心縦線６９側（右側）へ最も突出する部分に、頂部８９を備えている。頂部８９は、左抉り部７１に対して凸形状の縫合ラインを形作る、左縫合端部７２の正面視左側縁部上に配されている。
【００６１】
そして、左縫合端部７２の正面視左側縁部が左抉り部７１の縁部に縫合されている。この際、左縫合端部７２においては、その延在方向一端部９１が、左抉り部７１の延在方向一端部８１に合致させられる。
【００６２】
しかも、左縫合端部７２の延在方向他端部９２が、左抉り部７１の延在方向他端部８２に合致させられる。加えて、左縫合端部７２の頂部８９が、左抉り部７１の最深部７７に合致させられる。
【００６３】
ここでは、左縫合端部７２と左抉り部７１との縫合が解かれた場合（即ち、これら両者が分離している場合）に、左縫合端部７２の延在方向一端部９１と延在方向他端部９２との最短距離ｄ２が、左抉り部７１の延在方向一端部８１と延在方向他端部８２との最短距離ｄ３よりも長くなるように設定されている。
【００６４】
また、左縫合端部７２における正面視左側縁部の周長が、左抉り部７１の周長と略同じになるように設定されている。なお、これら両者の周長は、伸ばし縫い等により適切に縫合を実行できる周長であればよく、本実施形態に代えて、互いに異なる周長としてもよい。
【００６５】
さらに、左縫合端部７２と左抉り部７１との縫合が解かれた場合に、左縫合端部７２の突出寸法（膨出寸法）が、左抉り部７１の凹み寸法よりも小さくなるように設定されている。具体的には、第２仮想線９５と左縫合端部７２の頂部８９との最短距離ｄ４が、第３仮想線９７と左抉り部７１の最深部７７との最短距離ｄ５よりも短くなるように設定されている。
【００６６】
すなわち、この場合に、左縫合端部７２と左抉り部７１とを左右方向に並べたとき、左縫合端部７２の延在方向一端部９１と左抉り部７１の延在方向一端部８１とが合致しかつ左縫合端部７２の延在方向他端部９２と左抉り部７１の延在方向他端部８２とが合致した状態で、左縫合端部７２における縫合ライン上の頂部８９が左抉り部７１における縫合ライン上の最深部７７に左右方向において到達しない（届かずに合致しない）ように、左縫合端部７２が所定の寸法（短寸）に形成されている。
【００６７】
なお、第２仮想線９５は、左縫合端部７２と左抉り部７１との縫合が解かれたときに、左縫合端部７２の延在方向一端部９１と延在方向他端部９２とを最短距離ｄ２で結ぶ直線である。第３仮想線９７は、左縫合端部７２と左抉り部７１との縫合が解かれたときに、左抉り部７１の延在方向一端部８１と延在方向他端部８２とを最短距離ｄ３で結ぶ直線である。
【００６８】
この構成により、衣料の上半身部１の着用時に、身頃２と左袖３および右袖４の各々との境界部分の下側、特に前下側に時間の経過ととともにしわが発生して、そのしわ部分が着用者の脇の下に食い込む食い込み量を低減させることができる。したがって、この際に、衣料の上半身部１が前述の食い込みに起因する不快感を着用者に与えることを抑制することができる。
【００６９】
また、本実施形態においては、図２に示すように、左袖３の左袖正面３１と前身頃１１との縫合部分のうち、最も下方に位置する縫合箇所１０１が、左袖３の左袖背面３２と身頃２との境目のうち、最も下方に位置する最下部分１０３よりも上方に配されている。
【００７０】
詳しくは、最下部分１０３は、前身頃１１と後身頃１２との左脇線１０５の最上端部に設けられている。縫合箇所１０１は、左脇線１０５の最上端部から上方へ延びる延長線上に設けられている。
【００７１】
なお、左脇線１０５の延長線を形成する前身頃１１の延長部１０７は、後身頃１２と接触せずに左袖ぐり１８の一部を形成するものであり、左袖３の一部（左袖背面３２の一部）１０９と縫合されるようになっている。
【００７２】
縫合箇所１０１は左抉り部７１の延在方向他端部（下側の端部）８２を含み、最下部分１０３は左袖ぐり１８の最下点をなす後身頃１２の角部１１１を含んでいる。身頃２への左袖３の取付後、左抉り部７１の延在方向他端部８２は、後身頃１２の角部１１１に対し延長部１０７に応じて離間した状態を保つ。
【００７３】
この構成により、衣料の上半身部１の着用時、身頃２と左袖３および右袖４の各々との境界部分の後下側に時間の経過ととともにしわが発生して、そのしわ部分が着用者の脇の下に食い込む食い込み量を低減させることができる。したがって、この際に、前記衣料の上半身部が前述の食い込みに起因する不快感を着用者に与えることを更に抑制することができる。
【００７４】
本実施形態において、縫合箇所１０１と最下部分１０３との上下方向の最短長さＬ１は約２ｃｍ以上である。なお、最下部分１０３は本実施形態に係る上下位置よりも身頃２の裾１７側にある任意の上下位置に変更させてもよく、この最下部分１０３を身頃２の裾１７に位置させた場合には当該最下部分１０３と縫合箇所１０１との最短距離を最大とし得る。
【００７５】
また、本実施形態においては、前述の通り、左袖３は、左縫合端部７２を含みかつ身頃２の左側に繋がる左連繋部４２を有している。そして、左袖３のうち、少なくとも前記左連繋部４２の背面１２１は、左袖３の長さ方向において２０％伸長時に４５ｃＮ以上６００以下となる伸長力を有するように構成されている。
【００７６】
左連繋部４２の背面１２１は、左袖背面３２のうち、左袖３の長さ方向一端部４３付近の背面に含まれている。左連繋部４２の背面１２１は、身頃２の左端部背面２４と隣り合うように配されている。
【００７７】
なお、左袖３のうち少なくとも左連繋部４２の背面６８の長さ方向の伸長力は、左袖３の長さ方向の２０％伸長時に６０ｃＮ以上５００ｃＮ以下となるものが好ましく、左袖３の長さ方向の２０％伸長時に８０ｃＮ以上４００ｃＮ以下となるものがより好ましい。
【００７８】
この構成により、着用者の左の肩甲骨、更には上腕上部および肩と、右の肩甲骨、更には上腕上部および肩とに、後方への高い負荷をかけることが可能となる。したがって、左の上腕上部および右の上腕上部がそれぞれ正面中央側にまわるように左肩および右肩の各々が前方に出てしまうという姿勢を、着用者にとって、とりづらいものにすることができる。その結果、着用者が巻き肩や猫背になるといったことを効果的に抑制することができ、着用者の姿勢矯正効果を高めることができる。また、既に巻き肩や猫背になった人に対しても優れた矯正効果を衣類の上半身部１に発揮させることが可能になる。
【００７９】
しかも、本実施形態においては、着用者が衣類の上半身部１を着用したとき、後身頃１２（後側領域８）が発揮する引張力（左袖３の左連繋部４２の背面１２１を略右方へ引っ張り、かつ、右袖４の右連繋部６２の背面１２２を略左方へ引っ張る力）が左右の袖３・４の連繋部４２・６２の背面１２１・１２２の伸びにより大きく減殺されず、着用者の左右の肩甲骨、更には上腕上部および肩を引き寄せる力、即ち着用者の後方および着用者の背面中央側へと移動させようとする力がより強く働くことになる。
【００８０】
なお、ここでの伸長力とは、それぞれの製造に用いられる生地（素材）を、定速伸長形引張試験機により、約２０℃（１８℃〜２２℃）の環境下において、幅２．５ｃｍ、長さ（生地把持間隔）１０ｃｍの状態で、引張り速度３０ｃｍ／分で所定方向に２０％伸長させた時の伸長力である。本件では定速伸長形引張試験機として島津製作所製ＡＧＳ−Ｘを採用し、これを用いて測定した伸長力を記載している。
【００８１】
また、本実施形態においては、衣類の上半身部１は、左袖３のうち少なくとも左連繋部４２の背面１２１および左連繋部４２の正面４５に亘って、左袖３の長さ方向において２０％伸長時に４５ｃＮ以上６００以下となる伸長力を有するように構成されている。
【００８２】
なお、衣類の上半身部１は、左袖３のうち少なくとも左連繋部４２の背面１２１および左連繋部４２の正面４５に亘って、左袖３の長さ方向の２０％伸長時に６０ｃＮ以上５００ｃＮ以下となるものを有するように構成されることが好ましく、左袖３の長さ方向の２０％伸長時に８０ｃＮ以上４００ｃＮ以下となるものを有するように構成されることがより好ましい。
【００８３】
この構成により、着用者が衣類の上半身部１を着用したとき、着用者の左右の肩甲骨、更には上腕上部および肩を、さらに強く引き寄せる、即ち着用者の後方および着用者の背面中央側へと移動させることができる。そのため、より効果的な着用者の姿勢矯正を行うことができる。
【００８４】
なお、本発明における左袖の左連繋部の背面は、本実施形態においては左抉り部７１に対して凸形状の縫合ラインを左縫合端部７２に有する左連繋部４２の背面１２１としているが、これに限定するものではなく、左縫合端部で左抉り部と縫合されていない分離時にその左抉り部の最深部に到達しない形状をもつ短寸に形成されたものであればよい。
【００８５】
また、本発明における左袖は、左袖３に代えて、左袖のうち少なくとも左連繋部の背面が長さ方向において２０％伸長時に４５ｃＮ以上（６００以下）となる伸長力を有し、かつ、左袖のうち左連繋部の正面が長さ方向に４５ｃＮ以上の伸張力をかけても２０％の伸張にならないように伸びない構成とされた左袖としてもよい。
【００８６】
なお、ここでの２０％未満の伸びない構成とされた左袖とは、全く伸びない左袖を含むものである。
【００８７】
このような場合には、例えば、左の袖を、正面と背面とを別体の部材から構成した（異なる生地から構成した）袖としてもよいし、長さ方向において２０％伸長時に４５ｃＮ以上となる伸長力を有するように正面と背面とを一つの部材から構成した（同一の生地から構成した）うえで、長さ方向に４５ｃＮ以上の伸張力をかけても２０％の伸張にならないように、別の生地等を袖のうち少なくとも連繋部の正面に設けた袖としてもよい。
【００８８】
また、本発明における左袖は、左袖３に代えて、左袖のうち少なくとも左連繋部の背面が長さ方向に４５ｃＮ以上の伸張力をかけても２０％の伸張にならない２０％未満の伸びない構成とされた左袖としてもよい。
【００８９】
そして、本発明における左袖は、このように左袖３を代えた場合に、左袖のうち少なくとも左連繋部の背面および正面に亘って、長さ方向に４５ｃＮ以上の伸張力をかけても２０％の伸張にならない２０％未満の伸びない構成とされた左袖としてもよい。
【００９０】
または、本発明における左袖は、このように左袖３を代えた場合に、左袖のうち左連繋部の背面が長さ方向に４５ｃＮ以上の伸張力をかけても２０％の伸張にならないように伸びない構成とされ、かつ、左袖のうち少なくとも左連繋部の正面が長さ方向において２０％伸長時に４５ｃＮ以上６００以下となる伸長力を有する左袖としてもよい。
【００９１】
なお、身頃、左右の袖に関して、伸縮性あるいは伸張力あるいは２０％の伸張も得られない伸び難い構成にするために、生地自体で、伸縮性、伸張力、あるいは、伸び難い構成にする場合に限られず、ポリウレタンなどの材料を生地にプリントとして、所定の伸縮性、所定の伸張力、あるいは、所定の伸び難い構成にしてもよいし、別の生地を付加させて所定の伸縮性、所定の伸張力、あるいは、所定の伸び難い構成にしてもよい。
【００９２】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００９３】
１      衣料の上半身部
２      身頃
３      左袖
４      右袖
１１    前身頃
１２    後身頃
３１  左袖の正面
４２  左連繋部
４５  左連繋部の正面
６２  右連繋部
６５  右連繋部の正面
７１    左抉り部
７２    左縫合端部
７３    前身頃の左肩部
７７    左抉り部の最深部
１０１  縫合箇所（第１の縫合箇所）
１０３  最下部分（第１の最下部分）
１２１  左連繋部の背面
１２２  右連繋部の背面
【図１】
0006816910.tif 000002
【図２】
0006816910.tif 000003
【図３】
0006816910.tif 000004
【図４】
0006816910.tif 000005